(57)【要約】  一つの実施形態に係る基地局は、同一の時間・周波数リソースを用いて、ＭＢＭＳ伝送及びＰＤＳＣＨ伝送を行う方式である重畳伝送を行う。基地局は、前記ＰＤＳＣＨ伝送によりＰＤＳＣＨデータを無線端末に送信するとともに前記ＰＤＳＣＨデータの復調のための復調参照信号を送信する処理と、前記ＰＤＳＣＨデータの送信電力に対する前記復調参照信号の送信電力の比又はオフセットを示す情報を前記無線端末に送信する処理と、を行う。
2016208350.tif 000002
【特許請求の範囲】
【請求項１】
同一の時間・周波数リソースを用いてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）伝送及びＰＤＳＣＨ（Ｐｈｙｓｉｃａｌ  Ｄｏｗｎｌｉｎｋ  Ｓｈａｒｅｄ  Ｃｈａｎｎｅｌ）伝送を行う方式である重畳伝送を行う制御部を備え、
前記制御部は、
前記ＰＤＳＣＨ伝送によりＰＤＳＣＨデータを無線端末に送信するとともに前記ＰＤＳＣＨデータの復調のための復調参照信号を送信する処理と、
前記ＰＤＳＣＨデータの送信電力に対する前記復調参照信号の送信電力の比又はオフセットを示す情報を前記無線端末に送信する処理と、を行うことを特徴とする基地局。
【請求項２】
前記制御部は、前記ＰＤＳＣＨデータの送信電力よりも前記復調参照信号の送信電力を高くするブースト処理を行うことを特徴とする請求項１に記載の基地局。
【請求項３】
前記制御部は、
前記ＭＢＭＳ伝送によりＭＢＭＳデータを送信するとともに前記ＭＢＭＳデータの復調のためのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）参照信号を送信する処理と、
前記ＭＢＳＦＮ参照信号と時間・周波数リソースが重複する前記復調参照信号を前記ブースト処理の対象から除外する処理と、を行うことを特徴とする請求項２に記載の基地局。
【請求項４】
前記制御部は、
前記ＭＢＭＳ伝送によりＭＢＭＳデータを送信するとともに前記ＭＢＭＳデータの復調のためのＭＢＳＦＮ参照信号を送信する処理と、
前記重畳伝送における総送信電力のうち、前記ブースト処理後の前記復調参照信号の送信電力を除いた残りの送信電力を、前記ＭＢＳＦＮ参照信号の送信電力として設定する処理と、を行うことを特徴とする請求項２に記載の基地局。
【請求項５】
前記制御部は、
前記ＭＢＭＳ伝送によりＭＢＭＳデータを送信するとともに前記ＭＢＭＳデータの復調のためのＭＢＳＦＮ参照信号を送信する処理と、
前記ＭＢＳＦＮ参照信号と時間・周波数リソースが重複する前記ＰＤＳＣＨデータの送信を規制する処理と、を行うことを特徴とする請求項１に記載の基地局。
【請求項６】
同一の時間・周波数リソースを用いてＭＢＭＳ伝送及びＰＤＳＣＨ伝送を行う方式である重畳伝送を行う基地局と通信する制御部を備え、
前記制御部は、
前記ＰＤＳＣＨ伝送により送信されるＰＤＳＣＨデータを受信するとともに前記ＰＤＳＣＨデータの復調のための復調参照信号を受信する処理と、
前記ＰＤＳＣＨデータの送信電力に対する前記復調参照信号の送信電力の比又はオフセットを示す情報を前記基地局から受信する処理と、を行うことを特徴とする無線端末。
【請求項７】
同一の時間・周波数リソースを用いてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）伝送及びＰＤＳＣＨ（Ｐｈｙｓｉｃａｌ  Ｄｏｗｎｌｉｎｋ  Ｓｈａｒｅｄ  Ｃｈａｎｎｅｌ）伝送を行う方式である重畳伝送を行う制御部を備え、
前記制御部は、
前記ＰＤＳＣＨ伝送によりＰＤＳＣＨデータを無線端末に送信する処理と、
前記ＭＢＭＳ伝送によりＭＢＭＳデータを送信するとともに前記ＭＢＭＳデータの復調のためのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）参照信号を送信する処理と、を行い、
前記ＭＢＳＦＮ参照信号は、前記無線端末における前記ＰＤＳＣＨデータの復調にも用いられることを特徴とする基地局。
【請求項８】
前記制御部は、同一のアンテナポートを用いて前記ＰＤＳＣＨデータ及び前記ＭＢＳＦＮ参照信号を送信する処理を行うことを特徴とする請求項７に記載の基地局。
【請求項９】
前記制御部は、前記ＭＢＳＦＮ参照信号を送信するアンテナポートとは異なるアンテナポートを用いて前記ＰＤＳＣＨデータを送信することを特徴とする請求項７に記載の基地局。
【請求項１０】
前記制御部は、前記ＭＢＳＦＮ参照信号と時間・周波数リソースが重複する前記ＰＤＳＣＨデータの送信を規制することを特徴とする請求項７に記載の基地局。
【請求項１１】
同一の時間・周波数リソースを用いてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）伝送及びＰＤＳＣＨ（Ｐｈｙｓｉｃａｌ  Ｄｏｗｎｌｉｎｋ  Ｓｈａｒｅｄ  Ｃｈａｎｎｅｌ）伝送を行う方式である重畳伝送を行う基地局と通信する制御部を備え、
前記制御部は、
前記ＰＤＳＣＨ伝送により送信されるＰＤＳＣＨデータを受信する処理と、
前記ＭＢＭＳ伝送により送信されるＭＢＭＳデータの復調のためのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）参照信号を受信する処理と、
前記ＭＢＳＦＮ参照信号を用いて、前記ＰＤＳＣＨデータを復調する処理と、を行うことを特徴とする無線端末。
【発明の詳細な説明】
【技術分野】
【０００１】
本発明は、移動通信システムにおける基地局及び無線端末に関する。
【背景技術】
【０００２】
移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、マルチキャスト／ブロードキャストサービスを提供するために、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が仕様化されている。
【先行技術文献】
【非特許文献】
【０００３】
【非特許文献１】３ＧＰＰ技術仕様書「３ＧＰＰ  ＴＳ３６．３００  Ｖ１２．５．０」、２０１５年３月
【発明の概要】
【０００４】
一つの実施形態に係る基地局は、同一の時間・周波数リソースを用いてＭＢＭＳ伝送及びＰＤＳＣＨ伝送を行う方式である重畳伝送を行う制御部を備える。前記制御部は、前記ＰＤＳＣＨ伝送によりＰＤＳＣＨデータを無線端末に送信するとともに前記ＰＤＳＣＨデータの復調のための復調参照信号を送信する処理と、前記ＰＤＳＣＨデータの送信電力に対する前記復調参照信号の送信電力の比又はオフセットを示す情報を前記無線端末に送信する処理と、を行う。
【０００５】
一つの実施形態に係る無線端末は、同一の時間・周波数リソースを用いてＭＢＭＳ伝送及びＰＤＳＣＨ伝送を行う方式である重畳伝送を行う基地局と通信する制御部を備える。前記制御部は、前記ＰＤＳＣＨ伝送により送信されるＰＤＳＣＨデータを受信するとともに前記ＰＤＳＣＨデータの復調のための復調参照信号を受信する処理と、前記ＰＤＳＣＨデータの送信電力に対する前記復調参照信号の送信電力の比又はオフセットを示す情報を前記基地局から受信する処理と、を行う。
【０００６】
一つの実施形態に係る基地局は、同一の時間・周波数リソースを用いてＭＢＭＳ伝送及びＰＤＳＣＨ伝送を行う方式である重畳伝送を行う制御部を備える。前記制御部は、前記ＰＤＳＣＨ伝送によりＰＤＳＣＨデータを無線端末に送信する処理と、前記ＭＢＭＳ伝送によりＭＢＭＳデータを送信するとともに前記ＭＢＭＳデータの復調のためのＭＢＳＦＮ参照信号を送信する処理と、を行う。前記ＭＢＳＦＮ参照信号は、前記無線端末における前記ＰＤＳＣＨデータの復調にも用いられる。
【０００７】
一つの実施形態に係る無線端末は、同一の時間・周波数リソースを用いてＭＢＭＳ伝送及びＰＤＳＣＨ伝送を行う方式である重畳伝送を行う基地局と通信する制御部を備える。前記制御部は、前記ＰＤＳＣＨ伝送により送信されるＰＤＳＣＨデータを受信する処理と、前記ＭＢＭＳ伝送により送信されるＭＢＭＳデータの復調のためのＭＢＳＦＮ参照信号を受信する処理と、前記ＭＢＳＦＮ参照信号を用いて、前記ＰＤＳＣＨデータを復調する処理と、を行う。
【図面の簡単な説明】
【０００８】
【図１】ＬＴＥシステムの構成を示す図である。
【図２】ＭＢＭＳ／ｅＭＢＭＳに係るネットワーク構成を示す図である。
【図３】ＬＴＥシステムにおける無線インターフェイスのプロトコルスタック図である。
【図４】ＬＴＥシステムにおける下りリンクのチャネル構成を示す図である。
【図５】ＬＴＥシステムで使用される無線フレームの構成図である。
【図６】ＵＥ（無線端末）のブロック図である。
【図７】ｅＮＢ（基地局）のブロック図である。
【図８】第１実施形態及び第２実施形態に係るユニキャスト・ＭＢＭＳ重畳伝送を説明するための図である。
【図９】第１実施形態に係る動作を説明するための図である。
【図１０】第１実施形態に係るブースト処理の対象から除外するＤＭＲＳについて説明するための図である。
【図１１】第１実施形態に係るブースト処理の対象から除外するＤＭＲＳについて説明するための図である。
【図１２】第１実施形態の変更例１を説明するための図である。
【図１３】第１実施形態の変更例２を説明するための図である。
【図１４】第２実施形態に係る動作を説明するための図である。
【発明を実施するための形態】
【０００９】
［実施形態の概要］
リソース利用効率を高めるために、ユニキャスト（ＰＤＳＣＨ）及びＭＢＭＳの重畳伝送（Ｕｎｉｃａｓｔ  ＆  ＭＢＭＳ  Ｓｕｐｅｒｐｏｓｉｔｉｏｎ）が検討されている。具体的には、基地局は、同一の時間・周波数リソースを用いて、ユニキャスト（ＰＤＳＣＨ）伝送及びＭＢＭＳ伝送を行う。換言すると、基地局は、ＰＤＳＣＨ（Ｐｈｙｓｉｃａｌ  Ｄｏｗｎｌｉｎｋ  Ｓｈａｒｅｄ  Ｃｈａｎｎｅｌ）及びＰＭＣＨ（Ｐｈｙｓｉｃａｌ  Ｍｕｌｔｉｃａｓｔ  Ｃｈａｎｎｅｌ）を同一の時間・周波数リソースに重畳する。
【００１０】
ユニキャスト（ＰＤＳＣＨ）及びＭＢＭＳの重畳伝送において、ユニキャスト伝送の送信電力（ＰＤＳＣＨ送信電力）は、ＭＢＭＳ伝送の送信電力よりも低く設定される。よって、ＰＤＳＣＨデータの復調のための復調参照信号の送信電力も低く設定されるため、無線端末におけるＰＤＳＣＨデータの復調性能（すなわち、チャネル推定精度）が低下する懸念がある。
【００１１】
実施形態は、ＰＤＳＣＨ及びＭＢＭＳ（ＰＭＣＨ）の重畳伝送を適切に行うことを可能とする基地局及び無線端末を提供する。
【００１２】
第１実施形態に係る基地局は、同一の時間・周波数リソースを用いてＭＢＭＳ伝送及びＰＤＳＣＨ伝送を行う方式である重畳伝送を行う制御部を備える。前記制御部は、前記ＰＤＳＣＨ伝送によりＰＤＳＣＨデータを無線端末に送信するとともに前記ＰＤＳＣＨデータの復調のための復調参照信号を送信する処理と、前記ＰＤＳＣＨデータの送信電力に対する前記復調参照信号の送信電力の比又はオフセットを示す情報を前記無線端末に送信する処理と、を行う。
【００１３】
第１実施形態において、前記制御部は、前記ＰＤＳＣＨデータの送信電力よりも前記復調参照信号の送信電力を高くするブースト処理を行う。
【００１４】
第１実施形態において、前記制御部は、前記ＭＢＭＳ伝送によりＭＢＭＳデータを送信するとともに前記ＭＢＭＳデータの復調のためのＭＢＳＦＮ参照信号を送信する処理と、前記ＭＢＳＦＮ参照信号と時間・周波数リソースが重複する前記復調参照信号を前記ブースト処理の対象から除外する処理と、を行う。
【００１５】
第１実施形態の変更例１において、前記制御部は、前記ＭＢＭＳ伝送によりＭＢＭＳデータを送信するとともに前記ＭＢＭＳデータの復調のためのＭＢＳＦＮ参照信号を送信する処理と、前記重畳伝送における総送信電力のうち、前記ブースト処理後の前記復調参照信号の送信電力を除いた残りの送信電力を、前記ＭＢＳＦＮ参照信号の送信電力として設定する処理と、を行う。
【００１６】
第１実施形態の変更例２において、前記制御部は、前記ＭＢＭＳ伝送によりＭＢＭＳデータを送信するとともに前記ＭＢＭＳデータの復調のためのＭＢＳＦＮ参照信号を送信する処理と、前記ＭＢＳＦＮ参照信号と時間・周波数リソースが重複する前記ＰＤＳＣＨデータの送信を規制する処理と、を行う。
【００１７】
第１実施形態に係る無線端末は、同一の時間・周波数リソースを用いてＭＢＭＳ伝送及びＰＤＳＣＨ伝送を行う方式である重畳伝送を行う基地局と通信する制御部を備える。前記制御部は、前記ＰＤＳＣＨ伝送により送信されるＰＤＳＣＨデータを受信するとともに前記ＰＤＳＣＨデータの復調のための復調参照信号を受信する処理と、前記ＰＤＳＣＨデータの送信電力に対する前記復調参照信号の送信電力の比又はオフセットを示す情報を前記基地局から受信する処理と、を行う。
【００１８】
第２実施形態に係る基地局は、同一の時間・周波数リソースを用いてＭＢＭＳ伝送及びＰＤＳＣＨ伝送を行う方式である重畳伝送を行う制御部を備える。前記制御部は、前記ＰＤＳＣＨ伝送によりＰＤＳＣＨデータを無線端末に送信する処理と、前記ＭＢＭＳ伝送によりＭＢＭＳデータを送信するとともに前記ＭＢＭＳデータの復調のためのＭＢＳＦＮ参照信号を送信する処理と、を行う。前記ＭＢＳＦＮ参照信号は、前記無線端末における前記ＰＤＳＣＨデータの復調にも用いられる。
【００１９】
第２実施形態において、前記制御部は、同一のアンテナポートを用いて前記ＰＤＳＣＨデータ及び前記ＭＢＳＦＮ参照信号を送信する処理を行う。
【００２０】
第２実施形態の変更例において、前記制御部は、前記ＭＢＳＦＮ参照信号を送信するアンテナポートとは異なるアンテナポートを用いて前記ＰＤＳＣＨデータを送信する。
【００２１】
第２実施形態において、前記制御部は、前記ＭＢＳＦＮ参照信号と時間・周波数リソースが重複する前記ＰＤＳＣＨデータの送信を規制する。
【００２２】
第２実施形態に係る無線端末は、同一の時間・周波数リソースを用いてＭＢＭＳ伝送及びＰＤＳＣＨ伝送を行う方式である重畳伝送を行う基地局と通信する制御部を備える。前記制御部は、前記ＰＤＳＣＨ伝送により送信されるＰＤＳＣＨデータを受信する処理と、前記ＭＢＭＳ伝送により送信されるＭＢＭＳデータの復調のためのＭＢＳＦＮ参照信号を受信する処理と、前記ＭＢＳＦＮ参照信号を用いて、前記ＰＤＳＣＨデータを復調する処理と、を行う。
【００２３】
［移動通信システム］
以下において、実施形態に係る移動通信システムであるＬＴＥシステムの概要について説明する。
【００２４】
（システム構成）
図１は、実施形態に係るＬＴＥシステムの構成を示す図である。図２は、実施形態に係るＭＢＭＳ／ｅＭＢＭＳに係るネットワーク構成を示す図である。
【００２５】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２６】
ＵＥ１００は、無線端末に相当する。ＵＥ１００は、移動型の通信装置であり、セル（サービングセル）との無線通信を行う。ＵＥ１００の構成については後述する。
【００２７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００２９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ＬＴＥシステムのネットワークを構成する。
【００３０】
また、Ｅ−ＵＴＲＡＮ１０は、ＭＣＥ（Ｍｕｌｔｉ−Ｃｅｌｌ／Ｍｕｌｔｉｃａｓｔ  Ｃｏｏｒｄｉｎａｔｉｎｇ  Ｅｎｔｉｔｙ）１１を含む。ＭＣＥ１１は、Ｍ２インターフェイスを介してｅＮＢ２００と接続され、Ｍ３インターフェイスを介してＭＭＥ３００と接続される（図２参照）。ＭＣＥ１１は、ＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）無線リソース管理・割当等を行う。
【００３１】
ＥＰＣ２０は、ＭＢＭＳ  ＧＷ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ）２１を含む。ＭＢＭＳ  ＧＷ２１は、Ｍ１インターフェイスを介してｅＮＢ２００と接続され、Ｓｍインターフェイスを介してＭＭＥ３００と接続され、ＳＧ−ｍｂ及びＳＧｉ−ｍｂインターフェイスを介してＢＭ−ＳＣ２２と接続される（図２参照）。ＭＢＭＳ  ＧＷ２１は、ｅＮＢ２００に対してＩＰマルチキャストのデータ伝送やセッション制御を行う。
【００３２】
また、ＥＰＣ２０は、ＢＭ−ＳＣ（Ｂｒｏａｄｃａｓｔ  Ｍｕｌｔｉｃａｓｔ  Ｓｅｒｖｉｃｅ  Ｃｅｎｔｅｒ）２２を含む。ＢＭ−ＳＣ２２は、ＳＧ−ｍｂ及びＳＧｉ−ｍｂインターフェイスを介してＭＢＭＳ  ＧＷ２１と接続され、ＳＧｉインターフェイスを介してＰ−ＧＷ２３と接続される（図２参照）。ＢＭ−ＳＣ２２は、ＴＭＧＩ（Ｔｅｍｐｏｒａｒｙ  Ｍｏｂｉｌｅ  Ｇｒｏｕｐ  Ｉｄｅｎｔｉｔｙ）の管理・割当等を行う。
【００３３】
（無線プロトコルの構成）
図３は、ＬＴＥシステムにおける無線インターフェイスのプロトコルスタック図である。
【００３４】
図３に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３５】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３６】
ＭＡＣ層は、データの優先制御、ＨＡＲＱ（Ｈｙｂｒｉｄ  ＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３７】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３８】
ＰＤＣＰ層は、ヘッダ圧縮・伸張、及び暗号化・復号化を行う。
【００３９】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００４０】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４１】
（下りリンクのチャネル構成）
図４は、ＬＴＥシステムにおける下りリンクのチャネル構成を示す図である。
【００４２】
図４（ａ）は、論理チャネル（Ｄｏｗｎｌｉｎｋ  Ｌｏｇｉｃａｌ  Ｃｈａｎｎｅｌ）とトランポートチャネル（Ｄｏｗｎｌｉｎｋ  Ｔｒａｎｓｐｏｒｔ  Ｃｈａｎｎｅｌ）との間のマッピングを示す。
【００４３】
図４（ａ）に示すように、ＰＣＣＨ（Ｐａｇｉｎｇ  Ｃｏｎｔｒｏｌ  Ｃｈａｎｎｅｌ）は、ページング情報、及びシステム情報変更を通知するための論理チャネルである。ＰＣＣＨは、トランスポートチャネルであるＰＣＨ（Ｐａｇｉｎｇ  Ｃｈａｎｎｅｌ）にマッピングされる。
【００４４】
ＢＣＣＨ（Ｂｒｏａｄｃａｓｔ  Ｃｏｎｔｒｏｌ  Ｃｈａｎｎｅｌ）は、システム情報のための論理チャネルである。ＢＣＣＨは、トランスポートチャネルであるＢＣＨ（Ｂｒｏａｄｃａｓｔ  Ｃｏｎｔｒｏｌ  Ｃｈａｎｎｅｌ）又はＤＬ−ＳＣＨ（Ｄｏｗｎｌｉｎｋ  Ｓｈａｒｅｄ  Ｃｈａｎｎｅｌ）にマッピングされる。
【００４５】
ＣＣＣＨ（Ｃｏｍｍｏｎ  Ｃｏｎｔｒｏｌ  Ｃｈａｎｎｅｌ）は、ＵＥ１００とｅＮＢ２００との間の送信制御情報のための論理チャネルである。ＣＣＣＨは、ＵＥ１００がネットワークとの間でＲＲＣ接続を有していない場合に用いられる。ＣＣＣＨは、ＤＬ−ＳＣＨにマッピングされる。
【００４６】
ＤＣＣＨ（Ｄｅｄｉｃａｔｅｄ  Ｃｏｎｔｒｏｌ  Ｃｈａｎｎｅｌ）は、ＵＥ１００とネットワークとの間の個別制御情報を送信するための論理チャネルである。ＤＣＣＨは、ＵＥ１００がＲＲＣ接続を有する場合に用いられる。ＤＣＣＨは、ＤＬ−ＳＣＨにマッピングされる。
【００４７】
ＤＴＣＨ（Ｄｅｄｉｃａｔｅｄ  Ｔｒａｆｆｉｃ  Ｃｈａｎｎｅｌ）は、データの送信のための個別論理チャネルである。ＤＴＣＨは、ＤＬ−ＳＣＨにマッピングされる。
【００４８】
ＭＣＣＨ（Ｍｕｌｔｉｃａｓｔ  Ｃｏｎｔｒｏｌ  Ｃｈａｎｎｅｌ）は、１対多（マルチキャスト／ブロードキャスト）伝送のための論理チャネルである。ＭＣＣＨは、ネットワークからＵＥ１００へのＭＴＣＨ用のＭＢＭＳ制御情報の送信のために用いられる。ＭＣＣＨは、トランスポートチャネルであるＭＣＨ（Ｍｕｌｔｉｃａｓｔ  Ｃｈａｎｎｅｌ）にマッピングされる。
【００４９】
ＭＴＣＨ（Ｍｕｌｔｉｃａｓｔ  Ｔｒａｆｆｉｃ  Ｃｈａｎｎｅｌ）は、ネットワークからＵＥ１００への１対多（マルチキャスト／ブロードキャスト）のデータ伝送のための論理チャネルである。ＭＴＣＨは、ＭＣＨにマッピングされる。
【００５０】
図４（ｂ）は、トランポートチャネル（Ｄｏｗｎｌｉｎｋ  Ｔｒａｎｓｐｏｒｔ  Ｃｈａｎｎｅｌ）と物理チャネル（Ｄｏｗｎｌｉｎｋ  Ｐｈｙｓｉｃａｌ  Ｃｈａｎｎｅｌ）との間のマッピングを示す。
【００５１】
図４（ｂ）に示すように、ＢＣＨは、ＰＢＣＨ（Ｐｈｙｓｉｃａｌ  Ｂｒｏａｄｃａｓｔ  ｃｈａｎｎｅｌ）にマッピングされる。
【００５２】
ＭＣＨは、ＰＭＣＨ（Ｐｈｙｓｉｃａｌ  Ｍｕｌｔｉｃａｓｔ  Ｃｈａｎｎｅｌ）にマッピングされる。ＭＣＨは、複数のセルによるＭＢＳＦＮ伝送（ＭＢＭＳ伝送）をサポートする。
【００５３】
ＰＣＨ及びＤＬ−ＳＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）にマッピングされる。ＤＬ−ＳＣＨは、ＨＡＲＱ、リンクアダプテーション、及び動的リソース割当をサポートする。
【００５４】
ＰＤＣＣＨは、ＰＤＳＣＨ（ＤＬ−ＳＣＨ、ＰＣＨ）のリソース割り当て情報及びＤＬ−ＳＣＨに関するＨＡＲＱ情報等を運搬する。また、ＰＤＣＣＨは、上りリンクのスケジューリンググラントを運ぶ。
【００５５】
（無線フレームの構成）
図５は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５７】
下りリンクにおいて、各サブフレームの先頭数シンボルの区間は、主に下りリンク制御信号を伝送するためのＰＤＣＣＨとして使用される領域である。また、各サブフレームの残りの部分は、主に下りリンクデータを伝送するためのＰＤＳＣＨとして使用できる領域である。
【００５８】
また、下りリンクにおいて、ＭＢＳＦＮ伝送（ＭＢＭＳ伝送）用のサブフレームであるＭＢＳＦＮサブフレームが設定される。ＭＢＳＦＮサブフレームには、ＭＣＨ（ＰＭＣＨ）がマッピングされる。
【００５９】
上りリンクにおいて、各サブフレームにおける周波数方向の両端部は、主に上りリンク制御信号を伝送するためのＰＵＣＣＨとして使用される領域である。各サブフレームにおける残りの部分は、主に上りリンクデータを伝送するためのＰＵＳＣＨとして使用できる領域である。
【００６０】
（無線端末の構成）
図６は、実施形態に係るＵＥ１００（無線端末）のブロック図である。
【００６１】
図６に示すように、ＵＥ１００は、受信部１１０、送信部１２０、及び制御部１３０を備える。
【００６２】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００６３】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００６４】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の通信プロトコル及び後述する各種の処理を実行する。
【００６５】
（基地局の構成）
図７は、実施形態に係るｅＮＢ２００（基地局）のブロック図である。
【００６６】
図７に示すように、ｅＮＢ２００は、送信部２１０、受信部２２０、制御部２３０、及びバックホール通信部２４０を備える。
【００６７】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００６８】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００６９】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した各種の通信プロトコル及び後述する各種の処理を実行する。
【００７０】
バックホール通信部２４０は、Ｘ２インターフェイスを介して隣接ｅＮＢと接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００７１】
［第１実施形態］
以下において、第１実施形態について説明する。
【００７２】
（ユニキャスト・ＭＢＭＳ重畳伝送）
図８は、第１実施形態に係るユニキャスト・ＭＢＭＳ重畳伝送を説明するための図である。
【００７３】
図８（ａ）に示すように、ｅＮＢ２００−１はセル＃１を管理しており、ｅＮＢ２００−２はセル＃２を管理している。セル＃１及びセル＃２は一部が重複する。セル＃１及びセル＃２は、同一のＭＢＳＦＮエリアに属する。
【００７４】
ｅＮＢ２００−１及びｅＮＢ２００−２は、ＭＢＭＳ伝送（ＭＢＳＦＮ伝送）を行う。ｅＮＢ２００−１及びｅＮＢ２００−２は、同一の時間・周波数リソースを用いて同一のＭＢＭＳデータを送信する。ＭＢＭＳデータは、ＰＭＣＨ上で送信される。すなわち、ｅＮＢ２００−１及びｅＮＢ２００−２は、ＭＢＳＦＮサブフレームを用いてＭＢＭＳデータを送信する。
【００７５】
また、ｅＮＢ２００−１及びｅＮＢ２００−２は、同一の時間・周波数リソースを用いて、ＭＢＭＳデータの復調のためのＭＢＳＦＮ参照信号（ＭＢＳＦＮ  ＲＳ）を送信する。ＭＢＳＦＮ  ＲＳは、ＭＢＳＦＮサブフレームに配置される参照信号である。ＭＢＳＦＮ  ＲＳにより振幅情報も含めたチャネル推定が可能であるため、ＱＡＭ変調信号を復調するための振幅方向閾値を適切に設定することが可能となり、ＭＢＭＳデータにＱＡＭ変調を適用することができる。
【００７６】
さらに、ｅＮＢ２００−１は、ＭＢＭＳ伝送と同一の時間・周波数リソースを用いて、ユニキャスト伝送（ユニキャスト・ＭＢＭＳ重畳伝送）を行う。具体的には、ｅＮＢ２００−１は、ＭＢＳＦＮサブフレームを用いてユニキャストデータをＵＥ１００−１に送信する。ユニキャストデータは、ＰＤＳＣＨ上で送信される。
【００７７】
また、ｅＮＢ２００−１は、ユニキャストデータの復調のための復調参照信号（ＤＭＲＳ）をＵＥ１００−１に送信する。このようなＤＭＲＳは、ＵＥ固有（ＵＥ  ｓｐｅｃｉｆｉｃ）参照信号である。ｅＮＢ２００−１は、ユニキャストデータをＵＥ１００−１に送信する際に、ＤＭＲＳをＵＥ１００−１に送信する。ＤＭＲＳを伴う伝送モードは、例えば送信モード９（ＴＭ  ９）又は送信モード１０（ＴＭ  １０）と称される。ＤＭＲＳにより振幅情報も含めたチャネル推定が可能であるため、ＱＡＭ変調信号を復調するための振幅方向閾値を適切に設定することが可能となり、ユニキャストデータにＱＡＭ変調を適用することができる。
【００７８】
図８（ｂ）に示すように、ｅＮＢ２００−１は、ユニキャスト・ＭＢＭＳ重畳伝送において、ユニキャスト伝送及びＭＢＭＳ伝送を電力領域で多重化する。具体的には、ｅＮＢ２００−１は、ユニキャスト伝送の送信電力（すなわち、ＰＤＳＣＨ送信電力）を、ＭＢＭＳ伝送の送信電力よりも低く設定する。
【００７９】
セル＃１において、ｅＮＢ２００−１の近傍にＵＥ１００−１が位置している。ＵＥ１００−１は、ｅＮＢ２００−１からユニキャスト伝送（ＰＤＳＣＨ）により送信されるユニキャストデータを受信する。
【００８０】
また、ＵＥ１００−１は、ｅＮＢ２００−１からＭＢＭＳ伝送により送信されるＭＢＭＳデータを強い干渉信号として受信する。ＵＥ１００−１は、受信信号中のＭＢＭＳデータをキャンセル（干渉キャンセル）することにより、受信信号中のユニキャストデータを抽出する。具体的には、ＵＥ１００−１は、ＭＢＭＳデータのレプリカを生成し、生成したレプリカを用いて、受信信号中のＭＢＭＳデータをキャンセル（干渉キャンセル：ＳＩＣ）する。なお、ＵＥ１００−１は、ユニキャスト・ＭＢＭＳ重畳伝送が適用されていることを把握している必要がある。
【００８１】
また、セル＃１において、ｅＮＢ２００−１の遠方（セル端）にＵＥ１００−２及びＵＥ１００−３が位置している。ＵＥ１００−２及びＵＥ１００−３は、ＭＢＭＳデータを受信する。
【００８２】
ＵＥ１００−２は、セル＃１及びセル＃２の重複領域に位置している。ＵＥ１００−２は、ｅＮＢ２００−１（セル＃１）及びｅＮＢ２００−２（セル＃２）からＭＢＭＳデータを受信する。ＵＥ１００−２は、複数のセルからのＭＢＭＳデータを合成された状態で受信するため、ＭＢＭＳデータの受信品質が向上される。ＵＥ１００−３は、ｅＮＢ２００−１からＭＢＭＳデータを受信する。
【００８３】
ユニキャスト伝送（ＰＤＳＣＨ）の送信電力はＭＢＭＳ伝送の送信電力よりも低く設定されるため、セル端に位置するＵＥ１００−２及びＵＥ１００−３は、ユニキャストデータを非常に低い電力で受信する。よって、ＵＥ１００−２及びＵＥ１００−３は、ユニキャストデータをノイズとみなして除去することにより、受信信号中のＭＢＭＳデータを抽出することができる。なお、ＵＥ１００−２及びＵＥ１００−３は、ユニキャスト・ＭＢＭＳ重畳伝送が適用されていることを把握している必要がない。
【００８４】
（第１実施形態に係る動作）
上述したように、ｅＮＢ２００−１は、ユニキャスト・ＭＢＭＳ重畳伝送において、ユニキャスト伝送（ＰＤＳＣＨ）の送信電力を、ＭＢＭＳ伝送の送信電力よりも低く設定する。ＤＭＲＳはＭＢＭＳ伝送には用いられない参照信号であるため、ｅＮＢ２００−１は、ＤＭＲＳの送信電力をユニキャストデータと同様に低く設定し得る。よって、ＵＥ１００−１におけるユニキャストデータの復調性能（すなわち、チャネル推定精度）が低下する懸念がある。
【００８５】
図９は、第１実施形態に係る動作を説明するための図である。図９において、「ｒｅｓｏｕｒｃｅ」は時間・周波数リソースを示し、「ｐｏｗｅｒ」はｅＮＢ２００−１の送信電力を示す。
【００８６】
図９に示すように、ｅＮＢ２００−１は、同一の時間・周波数リソースを用いて、ＭＢＭＳ伝送及び該ＭＢＭＳ伝送に比べて低電力なユニキャスト伝送（ＰＤＳＣＨ伝送）を行う。ｅＮＢ２００−１は、ユニキャスト伝送によりユニキャストデータをＵＥ１００−１に送信するとともに、ユニキャストデータの復調のための復調参照信号（ＤＭＲＳ）をＵＥ１００−１に送信する。また、ｅＮＢ２００−１は、ＭＢＭＳ伝送によりＭＢＭＳデータを送信するとともに、ＭＢＭＳデータの復調のためのＭＢＳＦＮ参照信号（ＭＢＳＦＮ  ＲＳ）を送信する。
【００８７】
第１実施形態において、ｅＮＢ２００−１は、ユニキャストデータの送信電力（すなわち、ＰＤＳＣＨの送信電力）よりもＤＭＲＳの送信電力を高くするブースト処理を行う。具体的には、ｅＮＢ２００−１は、一定のチャネル推定精度が保証されるように、ＤＭＲＳの送信電力を高く設定する。
【００８８】
また、ｅＮＢ２００−１は、ユニキャストデータの送信電力に対するＤＭＲＳの送信電力の比（送信電力比）又はオフセット（差分）を示す情報をＵＥ１００−１（Ｎｅａｒ  ＵＥ）に送信する。当該情報は、ユニキャストデータの送信電力に対するＤＭＲＳの送信電力の比又はオフセットの値そのものであってもよいし、比又はオフセットのインデックス値であってもよい。以下において、このような情報を「ＤＭＲＳ電力情報」と称する。
【００８９】
例えば、システム固有で１）＋０ｄＢ、２）＋１ｄＢ、３）＋３ｄＢというような値を規定し、ｅＮＢ２００−１は、これらの値の中から何れかを選択し、選択した結果を明示的にＵＥ１００−１に通知する。或いは、ＭＢＭＳデータとユニキャストデータとの電力比に応じてオフセットが決定されてもよい（例えば、ＰＤＳＣＨデータの電力比が小さいほどオフセットが大きく設定される。
【００９０】
ｅＮＢ２００−１は、ＤＭＲＳ電力情報をＲＲＣシグナリングによりＵＥ１００−１に送信する。或いは、ｅＮＢ２００−１は、ＤＭＲＳ電力情報をＰＤＣＣＨによりＵＥ１００−１に送信してもよい。なお、ＵＥ１００−１は、ＤＭＲＳ電力情報をｅＮＢ２００−１から受信した場合に、ユニキャスト・ＭＢＭＳ重畳伝送が適用されていると判断してもよい。或いは、ユニキャスト・ＭＢＭＳ重畳伝送が適用されていることを示す明示的な情報をｅＮＢ２００−１が送信し、ＵＥ１００−１は、明示的な情報に基づいて、ユニキャスト・ＭＢＭＳ重畳伝送が適用されていると判断してもよい。
【００９１】
ＵＥ１００−１は、ＤＭＲＳ電力情報をｅＮＢ２００−１から受信し、ユニキャストデータの送信電力に対するＤＭＲＳの送信電力の比又はオフセットを把握する。例えば、ＵＥ１００−１は、ｅＮＢ２００−１から受信したＤＭＲＳに基づいてチャネル推定を行い、ＤＭＲＳ電力情報に基づいてＱＡＭ復調閾値（振幅値）を修正する。そして、ＵＥ１００−１は、修正したチャネル要素結果に基づいて、ユニキャストデータを復調する。これにより、ユニキャストデータにＱＡＭ変調が適用されていても、ユニキャストデータを適切に復調することができる。
【００９２】
なお、ｅＮＢ２００−１は、ＭＢＭＳデータの送信電力とＤＭＲＳの送信電力との間の電力比に関する情報もＵＥ１００−１に送信してもよい。当該情報は、ＳＩＣでＭＢＭＳデータを除去する際のレプリカ信号の振幅情報のために用いられる。ＤＭＲＳがブーストされている時間区間はＭＢＭＳデータに配分される電力が小さくなっているため、ＵＥ１００−１は、ＭＢＭＳデータを除去する際のレプリカ信号の電力を変更する。
【００９３】
また、ｅＮＢ２００−１は、ＭＢＭＳデータの送信電力との比が一定となるようにＤＭＲＳの送信電力を決定してもよい。当該一定の値は、システム固有の１つ、又は、システム固有の複数の値の中からｅＮＢ２００−１が選択した値である。ｅＮＢ２００−１は、選択した値をＵＥ１００−１に通知する。
【００９４】
但し、ｅＮＢ２００−１は、ＭＢＳＦＮ  ＲＳの送信電力を全リソースエレメント（ＲＥ）で一定としなければならないため、ＭＢＳＦＮ  ＲＳと重複（衝突）するＲＥについてはブースト処理の対象から除外する。ブーストできないＲＥがあっても、ＵＥ１００−１は、そのＲＥのみブーストされていないことを認識できるため、特に問題はない。
【００９５】
図１０及び図１１は、ブースト処理の対象から除外するＤＭＲＳについて説明するための図である。
【００９６】
図１０においては、ＭＢＭＳ伝送と重畳されるユニキャスト伝送（ＰＤＳＣＨ）に拡張サイクリックプリフィックス（Ｅｘｔ．  ＣＰ）が適用される場合を想定する。
【００９７】
図１０（ａ）に示すように、ｅＮＢ２００−１は、「アンテナポート４」を用いてＭＢＭＳ伝送を行う。すなわち、ｅＮＢ２００−１は、「アンテナポート４」を用いてＭＢＭＳデータ及びＭＢＳＦＮ  ＲＳを送信する。図１０（ａ）において、ＭＢＳＦＮ  ＲＳが配置されるＲＥは、「Ｒ４」で示すＲＥである。
【００９８】
図１０（ｂ）に示すように、Ｅｘｔ．  ＣＰでのＴＭ９又はＴＭ１０は、「アンテナポート７」又は「アンテナポート８」のみである。すなわち、ｅＮＢ２００−１は、「アンテナポート７」又は「アンテナポート８」を用いてユニキャストデータ及びＤＭＲＳを送信する。なお、ＴＤＤにおける「Ｓｐｅｃｉａｌ  Ｓｕｂｆｒａｍｅ」はＭＢＳＦＮ設定対象外であるため、「Ｓｐｅｃｉａｌ  Ｓｕｂｆｒａｍｅ」以外のサブフレームを想定する。図１０（ｂ）において、ＤＭＲＳが配置されるＲＥは、「アンテナポート７」の場合は「Ｒ７」で示すＲＥであり、「アンテナポート８」の場合は「Ｒ８」で示すＲＥである。
【００９９】
図１０（ａ）及び図１０（ｂ）に示すように、ＭＢＳＦＮ  ＲＳが配置される一部のＲＥ（Ｒ４）とＤＭＲＳが配置される一部のＲＥ（Ｒ７、Ｒ８）とが重複（衝突）する。ｅＮＢ２００−１は、ＭＢＳＦＮ  ＲＳと重複する一部のＲＥ（Ｒ７、Ｒ８）についてはブースト処理の対象から除外する。
【０１００】
一方、図１１においては、ＭＢＭＳ伝送と重畳されるユニキャスト伝送（ＰＤＳＣＨ）に通常のサイクリックプリフィックス（Ｎｏｒｍａｌ  ＣＰ）が適用される場合を想定する。
【０１０１】
図１１に示すように、Ｎｏｒｍａｌ  ＣＰでのＴＭ９又はＴＭ１０は、「アンテナポート７」乃至「アンテナポート１４」である。すなわち、ｅＮＢ２００−１は、「アンテナポート７」乃至「アンテナポート１４」を用いてユニキャストデータ及びＤＭＲＳを送信する。なお、ＴＤＤにおける「Ｓｐｅｃｉａｌ  Ｓｕｂｆｒａｍｅ」はＭＢＳＦＮ設定対象外であるため、「Ｓｐｅｃｉａｌ  Ｓｕｂｆｒａｍｅ」以外のサブフレームを想定する。図１１において、ＤＭＲＳが配置されるＲＥは、「アンテナポート７」の場合は「Ｒ７」で示すＲＥであり、「アンテナポート８」の場合は「Ｒ８」で示すＲＥであり、「アンテナポート９」の場合は「Ｒ９」で示すＲＥであり、「アンテナポート１０」の場合は「Ｒ１０」で示すＲＥである。
【０１０２】
図１０（ａ）及び図１１に示すように、ＭＢＳＦＮ  ＲＳが配置される一部のＲＥ（Ｒ４）とＤＭＲＳが配置される一部のＲＥ（Ｒ７、Ｒ８、Ｒ９、Ｒ１０）とが重複（衝突）する。ｅＮＢ２００−１は、ＭＢＳＦＮ  ＲＳと重複する一部のＲＥ（Ｒ７、Ｒ８、Ｒ９、Ｒ１０）についてはブースト処理の対象から除外する。
【０１０３】
（第１実施形態のまとめ）
第１実施形態によれば、ユニキャスト及びＭＢＭＳの重畳伝送を適切に行うことが可能となる。よって、ユニキャスト伝送の容量減少を抑圧しつつＭＢＭＳの導入が可能となる。逆に、既にＭＢＭＳが導入されている場合に、通常のユニキャスト伝送の容量を増大することが可能となる。
【０１０４】
［第１実施形態の変更例１］
上述した第１実施形態において、ｅＮＢ２００−１は、ＭＢＳＦＮ  ＲＳと重複する一部のＲＥについてはブースト処理の対象から除外していた。これに対し、本変更例においては、ｅＮＢ２００−１は、ＭＢＳＦＮ  ＲＳと重複する一部のＲＥについてもブースト処理を行う。
【０１０５】
図１２は、第１実施形態の変更例１を説明するための図である。ここでは、上述した第１実施形態との相違点を説明する。
【０１０６】
図１２に示すように、ｅＮＢ２００−１は、ユニキャスト・ＭＢＭＳ重畳伝送における総送信電力（規定の総送信電力）のうち、ブースト処理後のＤＭＲＳの送信電力を除いた残りの送信電力を、ＭＢＳＦＮ  ＲＳの送信電力として設定する。図１２においては、ＭＢＳＦＮ  ＲＳの送信電力とＭＢＭＳデータの送信電力とを一致させる一例を示している。なお、ＱＡＭ（１６ＱＡＭ／６４ＱＡＭ）を使用する場合には、ＭＢＳＦＮ  ＲＳ及びＭＢＭＳデータが同一電力で送信されているものとＵＥが想定し得るため、ＭＢＳＦＮ  ＲＳの送信電力及びＭＢＭＳデータの送信電力が一致している必要がある。但し、ＱＰＳＫを使用する場合には、必ずしも送信電力を一致させなくてもよい。
【０１０７】
このように、ｅＮＢ２００−１は、ＤＭＲＳの送信電力に応じて、ＭＢＭＳ伝送の送信電力を低めに設定する。これにより、ｅＮＢ２００−１は、全てのＤＭＲＳの送信電力をブーストすることができるため、ユニキャストデータの復調性能（すなわち、チャネル推定精度）の更なる改善を図ることができる。
【０１０８】
［第１実施形態の変更例１−１］
上述した第１実施形態の変更例１を次のように変更してもよい。
【０１０９】
ｅＮＢ２００−１は、１つのシンボル区間（ＯＦＤＭシンボル）内で、ユニキャストデータの送信電力とＤＭＲＳの送信電力との平均と、ＭＢＳＦＮ  ＲＳとの和が規定の総送信電力となるように設定する。ここで「平均」とは、ユニキャストデータの送信に用いられるサブキャリア数及びＤＭＲＳの送信に用いられるサブキャリア数に基づいた重み付き平均である。
【０１１０】
具体的には、ＤＭＲＳを送信するＲＥについては総送信電力が規定の総送信電力を超えるが、ユニキャストデータを送信するＲＥについては総送信電力が規定の総送信電力よりも小さくなるよう設定する。ＯＦＤＭシンボル全体に渡って（つまり、複数のサブキャリアに渡って）平均を取ると、規定の総送信電力となる。
【０１１１】
［第１実施形態の変更例１−２］
上述した第１実施形態の変更例１を次のように変更してもよい。
【０１１２】
ＤＭＲＳを含むＯＦＤＭシンボルについては、上述した変更例１−１と同様の動作とする。一方、ＤＭＲＳを含まないＯＦＤＭシンボルについては、ＭＢＳＦＮ  ＲＳの送信電力とユニキャストデータの送信電力（ＤＭＲＳではなく）との和が規定の総送信電力となる。
【０１１３】
［第１実施形態の変更例２］
図１３は、第１実施形態の変更例２を説明するための図である。
【０１１４】
図１３に示すように、ｅＮＢ２００−１は、ＭＢＳＦＮ  ＲＳとＲＥが重複するユニキャストデータ（ＰＤＳＣＨ）の送信を停止してもよい。或いは、ｅＮＢ２００−１は、ＭＢＳＦＮ  ＲＳとＲＥが重複するユニキャストデータ（ＰＤＳＣＨ）の送信電力を、ＭＢＳＦＮ  ＲＳとＲＥが重複しないユニキャストデータ（ＰＤＳＣＨ）の送信電力よりも低く設定してもよい。
【０１１５】
このように、ＭＢＳＦＮ  ＲＳとＲＥが重複するユニキャストデータ（ＰＤＳＣＨ）の送信を規制することにより、ＭＢＳＦＮ  ＲＳを用いたチャネル推定の精度を向上させることができる。
【０１１６】
［第２実施形態］
以下において、第２実施形態について、上述した第１実施形態との相違点を主として説明する。
【０１１７】
第２実施形態は、一般的なユニキャスト・ＭＢＭＳ重畳伝送の方法（図８参照）については、第１実施形態と同様である。すなわち、第２実施形態に係るｅＮＢ２００−１は、同一の時間・周波数リソースを用いて、ＭＢＭＳ伝送及び該ＭＢＭＳ伝送に比べて低電力なユニキャスト伝送を行う。
【０１１８】
第２実施形態において、ｅＮＢ２００−１は、同一のアンテナポートを用いてユニキャストデータ及びＭＢＳＦＮ  ＲＳを送信する。具体的には、ｅＮＢ２００−１は、「アンテナポート４」を用いてＭＢＭＳ伝送を行うとともに、「アンテナポート４」を用いてユニキャスト伝送（ＰＤＳＣＨ伝送）を行う。
【０１１９】
また、第２実施形態において、ＭＢＳＦＮ  ＲＳは、ＵＥ１００−１（Ｎｅａｒ  ＵＥ）におけるユニキャストデータの復調にも用いられる。すなわち、ＭＢＳＦＮ  ＲＳは、ＭＢＭＳデータの復調及びユニキャストデータの復調に共通に用いられる。ＵＥ１００−１は、ユニキャストデータ及びＭＢＳＦＮ  ＲＳを受信し、ＭＢＳＦＮ  ＲＳを用いてチャネル推定を行うことにより、ユニキャストデータを復調する。
【０１２０】
図１４は、第２実施形態に係る動作を説明するための図である。
【０１２１】
図１４（ａ）に示すように、ｅＮＢ２００−１は、同一の時間・周波数リソースを用いて、ＭＢＭＳ伝送及び該ＭＢＭＳ伝送に比べて低電力なユニキャスト伝送（ＰＤＳＣＨ伝送）を行う。ｅＮＢ２００−１は、「アンテナポート４」を用いて、ユニキャスト伝送によりユニキャストデータをＵＥ１００−１に送信する。第２実施形態において、ｅＮＢ２００−１は、ユニキャスト伝送を行う際にＤＭＲＳを送信しなくてもよい。また、ｅＮＢ２００−１は、「アンテナポート４」を用いて、ＭＢＭＳデータ及びＭＢＳＦＮ  ＲＳを送信する。図１４（ａ）においては、ｅＮＢ２００−１が、ＭＢＳＦＮ  ＲＳを最大の送信電力で送信する一例を示している。
ｅＮＢ２００−１は、ＭＢＳＦＮ  ＲＳとＲＥが重複するユニキャストデータ（ＰＤＳＣＨ）を送信しない。ＭＢＭＳデータにＱＡＭ変調を用いる場合、ｅＮＢ２００−１は、ＭＢＭＳデータとＭＢＳＦＮ  ＲＳとの間の電力比に関する情報を各ＵＥ１００に送信する。ＭＢＭＳデータにＱＰＳＫ変調を用いる場合、ｅＮＢ２００−１は、当該情報を各ＵＥ１００に送信しなくてもよい。
【０１２２】
或いは、図１４（ｂ）に示すように、ｅＮＢ２００−１は、ＭＢＳＦＮ  ＲＳの送信電力及びＭＢＭＳデータの送信電力を一致させる。ｅＮＢ２００−１は、ＭＢＳＦＮ  ＲＳとＲＥが重複するユニキャストデータの送信を停止してもよい。或いは、ｅＮＢ２００−１は、ＭＢＳＦＮ  ＲＳとＲＥが重複するユニキャストデータ（ＰＤＳＣＨ）の送信電力を、ＭＢＳＦＮ  ＲＳとＲＥが重複しないユニキャストデータ（ＰＤＳＣＨ）の送信電力よりも低く設定してもよい。このように、ＭＢＳＦＮ  ＲＳとＲＥが重複するユニキャストデータ（ＰＤＳＣＨ）の送信を規制することにより、ＭＢＳＦＮ  ＲＳを用いたチャネル推定の精度を向上させることができる。
【０１２３】
第２実施形態によれば、ＭＢＳＦＮ  ＲＳを、ＭＢＭＳデータの復調及びユニキャストデータの復調に共通に用いることにより、ＵＥ１００−１におけるユニキャストデータの復調性能（すなわち、チャネル推定精度）の低下を回避することができる。よって、ユニキャスト及びＭＢＭＳの重畳伝送を適切に行うことが可能となる。
【０１２４】
［第２実施形態の変更例］
上述した第２実施形態において、ｅＮＢ２００−１は、「アンテナポート４」を用いてＭＢＭＳ伝送を行うとともに、「アンテナポート４」を用いてユニキャスト伝送（ＰＤＳＣＨ伝送）を行っていた。しかしながら、ｅＮＢ２００−１は、「アンテナポート４」とは異なる特定のアンテナポートを用いて、ユニキャスト伝送を行なってもよい。
【０１２５】
特定のアンテナポートは、「アンテナポート４」を継承した子アンテナポートであり、「アンテナポート４」のチャネル推定結果を流用可能なアンテナポートである。ｅＮＢ２００−１は、ユニキャスト伝送に用いる特定のアンテナポートに関する情報（アンテナポート番号等）をＵＥ１００−１に通知してもよい。特定のアンテナポート（子アンテナポート）の情報は、親アンテナポート（すなわち、アンテナポート４）を継承（参照）している事を示す情報（例えば、親アンテナポート番号）を含んでもよい。
【０１２６】
特定のアンテナポート（子アンテナポート）を介して送信されたユニキャストデータの復調を行う場合、ＵＥ１００−１は、最初に親アンテナポートの設定に従ってＭＢＭＳデータを復調し、当該復調データのレプリカ信号によりＭＢＭＳデータを除去し（ＳＩＣ）、子アンテナポートに対応するユニキャストデータの復調を行う。
【０１２７】
［その他の実施形態］
ｅＮＢ２００−１は、ユニキャスト・ＭＢＭＳ重畳送信が適用される特定のＵＥ（ユニキャストデータの宛先ＵＥ）として、重畳されるＭＢＭＳデータの受信に興味を持っているＵＥを選択してもよい。この場合、当該ＵＥは、ユニキャストデータの復調のためにＳＩＣによりＭＢＭＳデータを除去しなければならないが、自らが受信すべきＭＢＭＳデータの復調結果をＳＩＣに用いることができる。このため、消費電力の増加を抑えることができる。なお、ＭＢＭＳデータの受信に興味がないＵＥについては、本来受信する必要のないＭＢＭＳデータを復調した上でＳＩＣを行う必要があることが問題となる。
【０１２８】
上述した各実施形態において特に触れていないが、ＰＤＳＣＨを用いてマルチキャスト伝送を行うＳＣ−ＰＴＭ（Ｓｉｎｇｌｅ  Ｃｅｌｌ−Ｐｏｉｎｔ  Ｔｏ  Ｍｕｌｔｉｐｏｉｎｔ）伝送が検討されている。ＳＣ−ＰＴＭ伝送が適用される場合、上述した各実施形態において、ユニキャスト・ＭＢＭＳ重畳伝送をＳＣ−ＰＴＭ・ＭＢＭＳ重畳伝送と読み替え、ユニキャスト伝送をＳＣ−ＰＴＭ伝送と読み替え、ユニキャストデータをＳＣ−ＰＴＭデータと読み替えてもよい。また、ユニキャスト伝送及びＳＣ−ＰＴＭ伝送をＰＤＳＣＨ伝送と総称してもよい。ユニキャストデータ及びＳＣ−ＰＴＭデータをＰＤＳＣＨデータと総称してもよい。
【０１２９】
上述した各実施形態において、移動通信システムとしてＬＴＥシステムを例示し、ＷＷＡＮ通信としてＬＴＥ通信を例示した。しかしながら、本発明はＬＴＥシステムに限定されない。ＬＴＥシステム以外の移動通信システムに本発明を適用してもよい。
【０１３０】
［相互参照］
日本国特許出願第２０１５−１２８３５０号（２０１５年６月２６日）の全内容が参照により本願明細書に組み込まれている。
【産業上の利用可能性】
【０１３１】
本発明は、通信分野において有用である。
【図１】
2016208350.tif 000003
【図２】
2016208350.tif 000004
【図３】
2016208350.tif 000005
【図４】
2016208350.tif 000006
【図５】
2016208350.tif 000007
【図６】
2016208350.tif 000008
【図７】
2016208350.tif 000009
【図８】
2016208350.tif 000010
【図９】
2016208350.tif 000011
【図１０】
2016208350.tif 000012
【図１１】
2016208350.tif 000013
【図１２】
2016208350.tif 000014
【図１３】
2016208350.tif 000015
【図１４】
2016208350.tif 000016
【国際調査報告】
2016208350.tif 000017
2016208350.tif 000018
2016208350.tif 000019
2016208350.tif 000020